(57)【要約】【課題】安全かつ容易な電気ケーブルの折り曲げ箇所の引き込み工法を提供する。【解決手段】袋状のワイヤーネット１の閉じられた先端部に第１リング２を設け、後端部に開口部３を設け、ワイヤーネット１から分岐した分岐部に第２リング５を設けた引き込み工具Ｂの、開口部３からワイヤーネット１内に、電気ケーブルＢの一端を挿入して、第１リング２に主ロープ７の一端を接続して主ロープ７の他端を、高所に吊り下げた第１金車９に通して、主ロープ７の他端を引っ張り、第１金車９に引き込み工具Ｂが近接した際、第２リング７に補助ロープ１１を接続し、第１金車９に近接して設けた第２金車１２に補助ロープ１１を掛けてこの補助ロープ１１を引っ張り、主ロープ７を第１金車９から外し、補助ロープ１１で電気ケーブルＡを引き上げ、その箇所の側方に主ロープ７を引っ張る。【選択図】      図３
2011061879.tif 000002
【特許請求の範囲】
【請求項１】
細長い袋状のワイヤーネットの閉じられた先端部にリング体を設け、後端部に開口部３を設けた引き込み工具の、前記開口部からワイヤーネット内に、牽引する電気ケーブルの一端を挿入し、前記リング体にロープの一端を接続してロープの他端を、高所に吊り下げた金車又は係止体に通して、前記ロープの他端を引っ張り、これにより電気ケーブルを引き上げる工法において、
前記引き込み工具のワイヤーネットの先端のリング体を第１リング体とし、この第１リング体の後方に、ワイヤーネットから分岐した分岐部を設けてその分岐部に第２リング体を固定し、この第２リング体は第１リング体より後方に位置し、前記第１リング体に接続した主ロープが掛けられた第１金車又は係止体に前記引き込み工具の先端が近接した際、第２リング体に補助ロープを接続し、前記第１金車又は係止体に近接して設けた第２金車又は係止体に補助ロープを掛けてこの補助ロープを引っ張り、前記第１リング体に接続した主ロープを前記第１金車又は係止体から外し、前記補助ロープで電気ケーブルを引き上げ、その箇所の側方に主ロープを引っ張り、前記第２金車又は係止体から補助ロープを外して、さらに前記主ロープを引っ張って電気ケーブルを当該個所に引き入れることを特徴とする、ケーブルの折り曲げ箇所の引き込み工法。
【請求項２】
前記第２リング体に補助ロープを掛けていないときは、当該第２リング体をワイヤーネットの外周に固定することとしたことを特徴とする、請求項１に記載のケーブルの折り曲げ箇所の引き込み工法。
【請求項３】
細長い袋状のワイヤーネットの閉じられた先端部にリング体を設け、後端部に開口部３を設けた引き込み工具において、
前記引き込み工具のワイヤーネットの先端のリング体を第１リング体とし、この第１リング体の後方に、前記ワイヤーネットの途中から分岐した分岐部を設けてその分岐部に第２リング体を固定し、この第２リング体は第１リング体より後方に位置する構成としたことを特徴とする、引き込み工具。
【請求項４】
前記分岐部を複数設け、これらの各分岐部に、前後の位置が異なるように第２リング体以降のリング体を設けたことを特徴とする、請求項３に記載の引き込み工具。
【発明の詳細な説明】
【技術分野】
【０００１】
この発明は、ケーブルの折り曲げ箇所の引き込み工法及びこの工法等に使用する引き込み工具に関するものである。
【背景技術】
【０００２】
従来、建造物等の中を地上箇所から電気ケーブルを高い階の箇所まで引き上げて延線する場合、図８に示すように、当該電気ケーブルＡの先端に引き込み工具Ｂを取り付け、この引き込み工具ＢにロープＣの一端を掛けて固定し、このロープＣの他端を、電気ケーブルＡを引き上げる箇所の梁や天井Ｄに吊り下げた金車Ｅに通してこのロープＣを引張り、電気ケーブルＡを地上箇所から高い階のフロアー箇所まで引き上げている。
【０００３】
この引き込み工具Ｂは、細長い袋状のワイヤーネット１の閉じられた先端部にリング２を設け、後端部に開口部３を設け、この開口部３から電気ケーブルＡをワイヤーネット１内に挿入し、前記開口部３をバインド線４等で巻いてワイヤーネット１を電気ケーブルＡに固定する。そして、前記リング２によりこの引き込み工具Ｂを引っ張ると、ワイヤーネット１が長手方向に引っ張られてその外径がすぼみ、電気ケーブルＡの外周にワイヤーネット１が密着し、強固に電気ケーブルＡを把持し、電気ケーブルＡは引っ張られるものである。特許文献１の図１０のものは、前記引き込み工具Ｂとはやや異なるが、前記電気ケーブルの先端に取り付けたワイヤーネット状の引き込み工具の一例を示すものである。
【０００４】
【特許文献１】特開２００５−１３０５４７号公報
【発明の開示】
【発明が解決しようとする課題】
【０００５】
しかしながら、図８において、前記特許文献１のワイヤーネット式ケーブル引き込み工具で電気ケーブルＡの先端を前記金車Ｅまで引き上げた後、当該電気ケーブルＡを折り曲げて、その階の側方に引き込む場合、前記金車Ｅに掛けたロープＣを、一旦、金車Ｅから外し、当該階の側方に設けた他の金車Ｅ´等にロープＣを掛け替えて側方に引っ張らなければならない。そこで、前記金車ＥからロープＣを外す際、引き上げた電気ケーブルＡがずり落ちてしまう恐れがある。
【０００６】
この発明は、このような従来技術を考慮したものであって、電気ケーブルの先端を、所定の金車又は係止体まで引き上げた後、当該電気ケーブルを折り曲げて、その箇所の側方に引き込む場合、安全かつ容易に電気ケーブルを引き込むことができる工法及びこの工法等に使用する引き込み工具を提供することを目的としたものである。
【課題を解決するための手段】
【０００７】
請求項１の発明は、細長い袋状のワイヤーネットの閉じられた先端部にリング体を設け、後端部に開口部を設けた引き込み工具の、前記開口部からワイヤーネット内に、牽引する電気ケーブルの一端を挿入し、前記リング体にロープの一端を接続してロープの他端を、高所に吊り下げた金車又は係止体に通して、前記ロープの他端を引っ張り、これにより電気ケーブルを引き上げる工法において、前記引き込み工具のワイヤーネットの先端のリング体を第１リング体とし、この第１リング体の後方に、ワイヤーネットから分岐した分岐部を設けてその分岐部に第２リング体を固定し、この第２リング体は第１リング体より後方に位置し、前記第１リング体に接続した主ロープが掛けられた第１金車又は係止体に前記引き込み工具の先端が近接した際、第２リング体に補助ロープを接続し、前記第１金車又は係止体に近接して設けた第２金車又は係止体に補助ロープを掛けてこの補助ロープを引っ張り、前記第１リング体に接続した主ロープを前記第１金車又は係止体から外し、前記補助ロープで電気ケーブルを引き上げ、その箇所の側方に主ロープを引っ張り、前記第２金車又は係止体から補助ロープを外して、さらに前記主ロープを引っ張って電気ケーブルを当該個所に引き入れる、ケーブルの折り曲げ箇所の引き込み工法とした。
【０００８】
また、請求項２の発明は、請求項１の発明において、前記第２リング体に補助ロープを掛けていないときは、当該第２リング体をワイヤーネットの外周に固定することとした、ケーブルの折り曲げ箇所の引き込み工法とした。
【０００９】
また、請求項３の発明は、細長い袋状のワイヤーネットの閉じられた先端部にリング体を設け、後端部に開口部３を設けた引き込み工具において、前記引き込み工具のワイヤーネットの先端のリング体を第１リング体とし、この第１リング体の後方に、前記ワイヤーネットの途中から分岐した分岐部を設けてその分岐部に第２リング体を固定し、この第２リング体は第１リング体より後方に位置する構成とした引き込み工具とした。
【００１０】
また、請求項４の発明は、請求項３の発明において、前記分岐部を複数設け、これらの各分岐部に、前後の位置が異なるように第２リング体以降のリング体を設けた、引き込み工具とした。
【発明の効果】
【００１１】
請求項１の発明によれば、引き込み工具先端の第１リング体に接続した主ロープが掛けられた第１金車又は係止体に、引き込み工具の先端が近接した際、第２リング体に補助ロープを接続し、第１金車又は係止体に近接して設けた第２金車又は係止体に前記補助ロープを掛けてこれを保持し、この状態で前記第１リング体に接続した主ロープを前記第１金車又は係止体から外すため、電気ケーブルは確実に補助ロープで保持され、下方にずれ落ちることがない。従って、ケーブルの折り曲げ箇所の引き込み作業を迅速かつ安全に行うことができる。
【００１２】
また、請求項２の発明によれば、分岐部及び第２リング体をワイヤーネットの側面に設けているが、この第２リング体に補助ロープを掛けていないときは、当該第２リング体をワイヤーネットの側面に固定しているため、当該引き込み工具を主ロープで引っ張った際、第２リング及び分岐部が邪魔にならない。
【００１３】
また、請求項３の発明によれば、当該引き込み工具に電気ケーブルを固定して、当該電気ケーブルを引っ張る際、第２リング体に補助ロープを掛けて当該補助ロープを係止すれば、第１リング体に掛けた主ロープの支持を一時的に外すことができ、その際、引っ張った電気ケーブルを安全に保持することができる。この工具の使用は請求項１のケーブルの折り曲げ箇所の引き込み工法に限定されず、他の工法、例えば、直線的に電気ケーブルを引っ張る際も、第２リング体に補助ロープを掛けて、当該補助ロープを引っ張れば、主ロープが他物に引っ掛かった際の修理をより安全に行うことができる。
【００１４】
また、請求項４の発明によれば、分岐部を複数設け、これらの各分岐部に前後の位置が異なるように第２リング体以降のリング体を設けた構成のため、ケーブルの折り曲げ箇所の引き込み作業の際、順に各リング体に設けた主ロープ及び補助ロープの係止や支持を掛け替えて電気ケーブルをより安全に引き込むことができる。
【発明を実施するための最良の形態】
【００１５】
この発明は、細長い袋状のワイヤーネットの閉じられた先端部にリング体を設け、後端部に開口部３を設けた引き込み工具の、前記開口部からワイヤーネット内に、牽引する電気ケーブルの一端を挿入し、前記リング体にロープの一端を接続してロープの他端を、高所に吊り下げた金車又は係止体に通して、前記ロープの他端を引っ張り、これにより電気ケーブルを引き上げる工法において、前記引き込み工具のワイヤーネットの先端のリング体を第１リング体とし、この第１リング体の後方に、ワイヤーネットから分岐した分岐部を設けてその分岐部に第２リング体を固定し、この第２リング体は第１リング体より後方に位置し、前記第１リング体に接続した主ロープが掛けられた第１金車又は係止体に前記引き込み工具の先端が近接した際、第２リング体に補助ロープを接続し、前記第１金車又は係止体に近接して設けた第２金車又は係止体に補助ロープを掛けてこの補助ロープを引っ張り、前記第１リング体に接続した主ロープを前記第１金車又は係止体から外し、前記補助ロープで電気ケーブルを引き上げ、その箇所の側方に主ロープを引っ張り、前記第２金車又は係止体から補助ロープを外して、さらに前記主ロープを引っ張って電気ケーブルを当該個所に引き入れる、ケーブルの折り曲げ箇所の引き込み工法とした。
【実施例１】
【００１６】
以下、この発明の実施例１を図に基づいて説明する。図１はこの発明の引き込み工具Ｂの正面図である。
【００１７】
この引き込み工具Ｂは、細長い袋状のワイヤーネット１の閉じられた先端部に第１リング２を設け、後端部に開口部３を設け、前記ワイヤーネット１の途中から分岐した分岐部４を設け、その分岐部４の先端に第２リング５を設けたものである。
【００１８】
この引き込み工具Ｂを使って、電気ケーブルＡの先端を折り曲げて引き込む工法を、図２〜図５に基づいて説明する。
【００１９】
まず、前記引き込み工具Ｂの、前記開口部３から袋状のワイヤーネット１内に、牽引する電気ケーブルＡの一端を挿入し、開口部付近のワイヤーネット１の外周に、バインド線６等を巻き付けて電気ケーブルＡを引き込み工具Ｂに固定する。そして、図２に示すように、前記第１リング２に主ロープ７の一端を接続して主ロープ７の他端を、天井８に吊り下げた第１金車９に通して、前記主ロープ７の他端をウインチ（図示省略）で引っ張り、電気ケーブルＡを引き上げる。その際、第２リング５は、ワイヤーネット１の外周にバインド線１０等で縛っておく。
【００２０】
そして、主ロープ７が掛けられた金車９に前記引き込み工具Ｂの先端が近接した際、前記バインド線１０を外して第２リング５に補助ロープ１１を接続し、図３に示すように、前記第１金車９に近接して設けた第２金車１２に前記補助ロープ１１を掛けてこの補助ロープ１１をウインチ（図示省略）で引っ張り、引き込み工具Ｂを引き上げる。この状態で、さらに引き込み工具Ｂを引き上げて、図４に示すように、第１リング２に接続した主ロープ７を前記第１金車９から外し、その脇のケーブルラック１３の他端方向に主ロープ７を引っ張る。そして、前記第２金車１２から補助ロープ７を外して、前記主ロープ７を引っ張って電気ケーブルを曲げて当該ケーブルラック１３に引き入れ、図５に示すように、電気ケーブルＡの曲げ箇所に、ケーブルガイド１４を設置し、電気ケーブルＡを直接牽引装置１５でけん引して、電気ケーブルＡをケーブルラック１３の所定箇所まで延線する。
【００２１】
なお、前記実施例では、天井８に金車９、１２を設けたが、これらの金車に代えて、アイボルト等のロープを折り返して係止する適宜の係止体を用いることができる。また、前記実施例では、引き込み工具Ｂのワイヤーネット１の先端又は分岐部４の先端に第１リング２又は第２リング５を設けたが、これらのリングは完全な環状のものでなく、リングを成すリング体であればよい。
【００２２】
図６は前記引き込み工具Ｂの他の例を示し、複数個の分岐部４を、引き込み工具Ｂの長手方向の位置を変えて設けたものであり、これにより第２リング５以降の第３リング等の位置も異なる。この引き込み工具Ｂの場合、各リングに接続した補助ロープを使ってこまめに支持点を替えて電気ケーブルＡを引き込むことができる。また、図７は引き込み工具Ｂのさらに他の例を示し、複数の分岐部４が、引き込み工具Ｂの長手方向の同じ位置の両側に設けられており、作業場所に応じて、分岐部４の第２リング５等を使い分けることができる。
【図面の簡単な説明】
【００２３】
【図１】この発明の実施例１の引き込み工具の正面図である。
【図２】この発明の実施例１の工法の第１ステップを示す概略構成図である。
【図３】この発明の実施例１の工法の第２ステップを示す概略構成図である。
【図４】この発明の実施例１の工法の第３ステップを示す概略構成図である。
【図５】この発明の実施例１の工法の第４ステップを示す概略構成図である。
【図６】この発明に使用する引き込み工具の他の例を示す正面図である。
【図７】この発明に使用する引き込み工具のさらに他の例を示す正面図である。
【図８】従来の工法を示す概略構成図である。
【符号の説明】
【００２４】
１      ワイヤーネット              ２      第１リング
３      開口部                      ４      分岐部
５      第２リング                  ６      バインド線
７      主ロープ                    ８      天井
９      第１金車                    １０    バインド線
１１    補助ロープ                  １２    第２金車
１３    ケーブルラック              １４    ケーブルガイド
１５    牽引装置
【図１】
2011061879.tif 000003
【図２】
2011061879.tif 000004
【図３】
2011061879.tif 000005
【図４】
2011061879.tif 000006
【図５】
2011061879.tif 000007
【図６】
2011061879.tif 000008
【図７】
2011061879.tif 000009
【図８】
2011061879.tif 000010